(57)【要約】【課題】ローマ字入力に要する時間を短縮できる仮名ローマ字対応表、情報処理装置、記憶媒体、サーバ及び文字入力システムを提供することを課題とする。【解決手段】対応表１０は、仮名文字が表記された仮名表記部２０と、仮名文字に対応したローマ字に相当する英文字３３、３５が表記されたローマ字表記部３０とを備え、英文字３３、３５は、キーボード１３０の識別可能に分類された第1キー群１３３及び第２キー群１３５に対応させて、識別可能に表記されている。【選択図】図１
2010102619.tif 000002
【特許請求の範囲】
【請求項１】
仮名文字が表記された仮名表記部と、
前記仮名文字に対応したローマ字に相当する英文字群が表記されたローマ字表記部とを備え、
前記英文字群は、文字入力装置の識別可能に分類された第1及び第２キー群に対応させて、識別可能に表記された第１及び第２英文字を含む、仮名ローマ字対応表。
【請求項２】
前記第１英文字は、前記第１キー群に含まれるキーにより入力可能であり、
前記第２英文字は、前記第２キー群に含まれるキーにより入力可能である、請求項１の仮名ローマ字対応表。
【請求項３】
前記第１及び第２英文字は、前記第1及び第２キー群になされた識別可能な分類方法と同様な方法により表記されている、請求項１又は２の仮名ローマ字対応表。
【請求項４】
前記第1及び第２英文字は、背景色の相違により互いに識別可能に表記されている、請求項１乃至３の何れかの仮名ローマ字対応表。
【請求項５】
前記第1及び第２英文字は、何れか一方を他方より強調表記することにより互いに識別可能に表記されている、請求項１乃至４の何れかの仮名ローマ字対応表。
【請求項６】
前記第1及び第２英文字は、母音、子音、促音及び拗音のうち少なくとも一つに基づいて分類されている、請求項１乃至５の何れかの仮名ローマ字対応表。
【請求項７】
請求項１乃至６の何れかの仮名ローマ字対応表で規定される前記第１及び第２キー群をもつ前記文字入力装置と、
前記文字入力装置による入力データを表示部に表示させる制御部と、を備えた情報処理装置。
【請求項８】
請求項１乃至６の何れかの仮名ローマ字対応表に相当する画像データを記憶した記憶媒体。
【請求項９】
請求項１乃至６の何れかの仮名ローマ字対応表に相当する画像データを記憶した記憶部と、
通信ネットワークを介して前記画像データを情報処理装置に送信する送信部と、を備えたサーバ。
【請求項１０】
請求項１乃至６の何れかの仮名ローマ字対応表と、
前記文字入力装置と、を備えた文字入力システム。
【発明の詳細な説明】
【技術分野】
【０００１】
本発明は、仮名ローマ字対応表、文字入力システム、情報処理装置、記憶媒体、サーバ及び文字入力システムに関する。
【背景技術】
【０００２】
文字入力装置を用いて仮名文字を入力する方式の一つとして、ローマ字入力方式が知られている。ローマ字入力の際には、ユーザは、所望の仮名文字に対応したローマ字を把握し、ローマ字に対応したキーを文字入力装置のキー群の中から探しだし、当該キーを押すことにより行われる。
【０００３】
【特許文献１】実案第３０５３０３４号公報
【特許文献２】実案第３０５３５５７号公報
【特許文献３】特開２０００−３３０７１９号公報
【発明の開示】
【発明が解決しようとする課題】
【０００４】
しかしながら、複数のキーの中から所望のキーを探す作業は、不慣れなユーザにとっては時間がかかり、その結果、ローマ字入力の作業に時間がかかる恐れがある。
【０００５】
そこで本発明は上記の課題に鑑みてなされたものであり、ローマ字入力に要する時間を短縮できる仮名ローマ字対応表、情報処理装置、記憶媒体、サーバ及び文字入力システムを提供することを目的とする。
【課題を解決するための手段】
【０００６】
上記課題を解決するために、本明細書に開示の仮名ローマ字対応表は、仮名文字が表記された仮名表記部と、前記仮名文字に対応したローマ字に相当する英文字群が表記されたローマ字表記部とを備え、前記英文字群は、文字入力装置の識別可能に分類された第1及び第２キー群に対応させて、識別可能に表記された第１及び第２英文字を含む。
【０００７】
これによりユーザは、仮名ローマ字対応表に基づいて、所望の仮名文字に対応する第１英文字については第１キー群から、第２英文字については第２キー群から探し出すことができる。これにより、所望のキーを探し出す時間が短縮化される。
【０００８】
本明細書に開示の情報処理装置は、仮名ローマ字対応表で規定される前記第１及び第２キー群をもつ前記文字入力装置と、前記文字入力装置による入力データを表示部に表示させる制御部と、を備えている。
【０００９】
本明細書に開示の記憶媒体は、前記仮名ローマ字対応表に相当する画像データを記憶している。
【００１０】
本明細書に開示のサーバは、前記仮名ローマ字対応表に相当する画像データを記憶した記憶部と、通信ネットワークを介して前記画像データを情報処理装置に送信する送信部と、を備えている。
【００１１】
本明細書に開示の文字入力システムは、前記仮名ローマ字対応表と、前記文字入力装置と、を備えている。
【発明の効果】
【００１２】
本明細書に開示の仮名ローマ字対応表、情報処理装置、記憶媒体、サーバ及び文字入力システムによれば、ユーザは、文字入力に用いられる全てのキーから、所望のキーを探し出す必要がなくなるため、短時間で所望のキーを見つけ出すことができ、ローマ字入力に要する時間を短縮できる。
【発明を実施するための最良の形態】
【００１３】
以下、実施形態について図面を参照して説明する。
【００１４】
図１は、仮名ローマ字対応表に相当する（以下、対応表と称する）１０の例示図である。対応表１０には、複数の仮名文字と、ローマ字とが対応付けられて表記されている。対応表１０については詳しくは後述する。
【００１５】
図２は、ローマ字入力に用いられるノートパソコン１００の例示図である。図２に例示するように、ノートパソコン１００は、本体部１２０、本体部１２０に対して開閉可能に連結された表示部１４０を含む。本体部１２０にはキーボード１３０が設けられている。表示部１４０にはディスプレイ１５０が設けられている。キーボード１３０について詳しく説明する。尚、ローマ字入力に用いられる情報処理装置は、デスクトップ型のパソコンであってもよい。
【００１６】
図３は、キーボード１３０の例示図である。キーボード１３０は、複数のキーを備えている。複数のキーのうち、ローマ字入力に用いられるキー群は、キー群１３３と、キー群１３５とに互いに識別可能に分類されている。キー群１３３は、キートップに表記された英文字が「Ａ」「Ｉ」「Ｕ」「Ｅ」「Ｏ」「Ｌ」の複数のキーを含む。キー群１３５は、前記以外のキーである。キー群１３３とキー群１３５とは、色の相違により互いに識別可能に分類されている。例えば、キー群１３３は、青色に着色されているのに対し、キー群１３５は、白に着色されている。
【００１７】
キー群１３３は、仮名文字の母音に対応したキーであり、キー群１３５は、仮名文字の子音に対応したキーである。また、キー群１３３には、促音に対応する英文字「Ｌ」のキーを含んでいる。
【００１８】
図４は、図１に例示した対応表１０の一部分の拡大図である。図４では、仮名文字「た」を例示している。図４に例示するように、対応表１０は、仮名文字が表記された仮名表記部２０と、仮名文字に対応するローマ字に相当する英文字群が表記されたローマ字表記部３０とを有している。ローマ字表記部３０には、背景色は青色である英文字３３と、背景色が白である英文字３５とが表記されている。
【００１９】
仮名表記部２０の背景色や、英文字３３以外のローマ字表記部３０の背景色は、白である。従って、英文字３３は、英文字３５よりも強調してローマ字表記部３０に表記されている。このように背景色の相違により英文字３３と英文字３５とは互いに識別可能に表記されている。
【００２０】
また、図１に例示するように、母音に相当する英文字「Ａ」「Ｉ」「Ｕ」「Ｅ」「Ｏ」と、促音や拗音に相当する英文字「Ｌ」との背景色が青色である。それ以外の英文字の背景色は白である。
【００２１】
前述したように、キーボード１３０は、キー群１３３とキー群１３５とは、着色の相違により互いに識別可能に分類されている。同様に、対応表１０においては、英文字３３と英文字３５とは、背景色の相違により互いに識別可能に表記されている。このように、英文字３３と英文字３５とは、識別可能に分類されたキー群１３３とキー群１３５に対応させて、識別可能に表記されている。また、英文字３３と英文字３５とは、キー群１３３とキー群１３５とになされた識別可能な分類方法と同様な方法により表記されている。詳細には、キー群１３３、１３５の着色は、それぞれ、英文字３３、３５の背景色と同一の色である。
【００２２】
ユーザは、対応表１０を見ながらキーボード１３０によりローマ字入力する際に、まず、対応表１０から所望の仮名文字を探し出し、所望の仮名文字に対応する英文字を認識する。最初に入力する英文字の背景色が白である場合には、白に着色されたキー群１３５の中から該当するキーを探し出して入力する。次に入力する英文字の背景色が青色である場合には、青色に着色されたキー群１３３の中から該当するキーを探し出して入力する。従って、ユーザは、文字入力に用いられる全てのキーから、所望のキーを探し出す必要がなくなる。このため、短時間で所望のキーを見つけ出すことができ、ローマ字入力に要する時間が短縮化される。
【００２３】
次に、対応表１０に相当する画像をディスプレイに表示させる場合について説明する。まず、サーバから対応表１０に相当する画像データを情報処理装置に送信する場合について説明する。図５は、サーバから対応表１０に相当する画像データを情報処理装置に送信する場合の例示図である。
【００２４】
サーバ２００は、通信ネットワークを介して携帯電話７１０、テレビモニター７２０、パソコンモニター７３０に所定のデータを送信することができる。通信ネットワークとは、例えばインターネットである。サーバ２００は、対応表１０に相当する画像データを記憶した記憶部２０１と、前記画像データを通信ネットワークを介して情報処理装置に送信する送信部２０２とを含む。記憶部２０１は、例えばハードディスクなどを含む。送信部２０２は、例えばＣＰＵやＲＯＭ、ＲＡＭなどの、画像データを送信するための処理に必要なハードウェアを含む。ＲＯＭには、画像データを送信するためのプログラムが記憶されている。尚、テレビモニター７２０は、インターネットに接続可能な機能を有している。
【００２５】
携帯電話７１０、テレビモニター７２０、パソコンモニター７３０は、サーバ２００から送信された画像データを受信してそれぞれのディスプレイ７１５、７２５、７３５に表示させることができる。ユーザは、ディスプレイ７１５や、７２５又は７３５に表示された対応表１０に相当する画像を見ながら、キーボード１３０を用いてローマ字入力することができる。このようにサーバ２００は、携帯電話７１０などを介してユーザに対応表１０を提示することができる。
【００２６】
次に、対応表１０に相当する画像データが記憶されたメモリーカード３００を用いる場合について説明する。図６は、メモリーカード３００を用いて情報処理装置に対応表を表示させる場合の例示図である。メモリーカード３００には、対応表１０に相当する画像データが記憶されている。メモリーカード３００を、携帯電話７１０、テレビモニター７２０、又はパソコンモニター７３０と接続することにより、メモリーカード３００内に記憶されている画像データを読み出して各ディスプレイ７１５、７２５又は７３５に表示させることができる。ユーザは、ディスプレイ７１５、７２５、又は７３５に表示された画像データを見ながらローマ字入力することができる。尚、メモリーカード３００を、ノートパソコン１００に接続させて、ディスプレイ１５０に画像を縮小表示させてもよい。また、記憶媒体として、メモリーカード３００に限らず、ＵＳＢメモリであってよいし、ＣＤ−ＲＯＭであってもよいし、それ以外のものであってもよい。
【００２７】
次に、対応表１０に相当する画像データを記憶したノートパソコン１００ａを用いてローマ字入力する場合について説明する。図７、図８は、ノートパソコン１００ａを用いてローマ字入力する場合の例示図である。尚、図８は、ノートパソコンを用いてローマ字入力する場合のブロック図である。
【００２８】
ノートパソコン１００ａには、対応表１０に相当する画像データが記憶された記憶部１２１と、記憶部１２１に記憶された画像データを外部のディスプレイに表示させる制御部１２３を含む。尚、制御部１２３は、キーボード１３０により入力された入力データを、ノートパソコン１００ａの表示部１４０のディスプレイ１５０に表示させる。記憶部１２１は、例えばハードディスクである。制御部１２３は、例えばＣＰＵ、ＲＯＭ、ＲＡＭなどを含み、画像データや入力データを外部のディスプレイに表示させるための処理を実行可能である。ＲＯＭには、画像データを外部のディスプレイに表示させるためのプログラムが記憶されている。
【００２９】
ノートパソコン１００ａに、携帯電話７１０、テレビモニター７２０又はパソコンモニター７３０を接続することにより、各ディスプレイ７１５、７２５、７３５に対応表１０を表示させることができる。表示された対応表１０を見ながら、ユーザはローマ字入力することができる。尚、ディスプレイ１５０に対応表１０を縮小表示してもよい。
【００３０】
次に、仮名ローマ字対応表の第１変形例について説明する。図９は、第１変形例である対応表１０ａの一部分の拡大図である。図９は、図４に対応している。英文字３３ａは、反転文字として表記されている。例えば、英文字３３ａの背景色が黒であり、英文字３５の背景色は白である。他の英文字３３ａについてもこのように反転表記されている。対応表１０ａをモノクロ印刷した場合にも、英文字３３ａと英文字３５とを容易に識別できる。
【００３１】
図１０は、ローマ字入力に用いられるキーボード１３０ａの例示図である。図１０は、図３に対応している。対応表１０ａは、キーボード１３０ａによりローマ字入力する際に用いられる。キー群１３３ａのそれぞれに表記された英文字は、反転文字として表記されている。対応表１０ａとキー群１３３ａとによっても、ローマ字入力に要する時間が短縮される。
【００３２】
次に、仮名ローマ字対応表の第２変形例について説明する。図１１は、第２変形例である対応表１０ｂの一部分の拡大図である。図１１は、図４に対応している。英文字３３ｂ、３５は、背景色が同一であるが、英文字３３ｂは囲み文字である。これによってもユーザは、英文字３３ｂと英文字３５とを互いに容易に識別することができる。
【００３３】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３４】
対応表１０において、促音、拗音に相当する英文字「Ｘ」の背景色を、例えば青色にし、キーボード１３０のＸのキーを青色に着色したものを採用してもよい。
【００３５】
対応表１０において、英文字３３と英文字３５とを、背景色を同一にして文字の太さに基づいて互いに識別可能に表記してもよい。この際、キーボード１３０のキー群１３３とキー群１３５とについても同様の方法で識別可能に分類してもよい。対応表１０において、英文字３３と英文字３５との何れか一方に下線を引いて識別可能にしてもよい。
【００３６】
第１及び第２英文字の識別方法と、第１及び第２キー群の識別方法とは異なっていてもよい。例えば、図１に例示した対応表１０と、図１０に例示したキーボード１３０ａとを用いてユーザはローマ字入力してもよい。互いに識別方法は異なっているが、英文字３３は、キー群１３３ａに対応しており、英文字３５は、キー群１３５に対応しているからである。
【００３７】
仮名ローマ字対応表は、促音、拗音に相当する英文字を第１英文字とし、促音、拗音に相当する英文字以外の英文字を第２英文字として、互いに識別可能に表記されたものであってもよい。
【００３８】
仮名ローマ字対応表は、母音に相当する英文字を第１英文字とし、母音に相当する英文字以外の英文字を第２英文字として、互いに識別可能に表記されたものであってもよい。
【００３９】
キーボードは、デスクトップ型のパソコンに用いられるキーボードであってもよい。
【図面の簡単な説明】
【００４０】
【図１】対応表の例示図である。
【図２】ローマ字入力に用いられるノートパソコンの例示図である。
【図３】キーボードの例示図である。
【図４】対応表の一部分の拡大図である。
【図５】サーバから対応表に相当する画像データを情報処理装置に送信する場合の例示図である。
【図６】メモリーカードを用いて情報処理装置に対応表を表示させる場合の例示図である。
【図７】ノートパソコンを用いてローマ字入力する場合の例示図である。
【図８】ノートパソコンを用いてローマ字入力する場合のブロック図である。
【図９】第１変形例である対応表の一部分の拡大図である。
【図１０】ローマ字入力に用いられるキーボードの例示図である。
【図１１】第２変形例である対応表の一部分の拡大図である。
【符号の説明】
【００４１】
１０  対応表
２０  仮名表記部
３０  ローマ字表記部
３３、３５  英文字
１００  ノートパソコン
１３０  キーボード
１３３、１３５  キー群
２００  サーバ
３００  メモリーカード
【図１】
2010102619.tif 000003
【図２】
2010102619.tif 000004
【図３】
2010102619.tif 000005
【図４】
2010102619.tif 000006
【図５】
2010102619.tif 000007
【図６】
2010102619.tif 000008
【図７】
2010102619.tif 000009
【図８】
2010102619.tif 000010
【図９】
2010102619.tif 000011
【図１０】
2010102619.tif 000012
【図１１】
2010102619.tif 000013